(57)【要約】      （修正有）【課題】顧客の利用する店舗において、確実に使用可能なクーポンを電子的に発行することができるクーポン発行システムを提供する。【解決手段】クーポン発行システム１００において、クーポン配信装置１は、販売管理装置から送られてくる購買データを蓄積する購買データ記憶部１１に記憶する。情報端末装置２からクーポンの発行要求があると、クーポン配信装置１は、クーポン商品決定手段１ｂにより購買データからクーポン対象商品の店舗での売上状況を判定してクーポンの提供が可能な商品を決定する。そして、クーポン出力手段１ｃにより決定したクーポン対象商品に関するクーポン情報を、クーポン発行要求のあった情報端末装置２へ送信することでクーポンが配信される。【選択図】図１
2019197446.tif 000002
【特許請求の範囲】
【請求項１】
商品買上げによる顧客の精算に基づき購買データを生成する販売管理装置と、クーポン配信装置と、顧客に所持されてクーポンの発行要求を行う情報端末装置と、を備えるクーポン発行システムであって、
前記クーポン配信装置は、
前記販売管理装置から送られてくる前記購買データを蓄積する購買データ記憶部と、
前記購買データ記憶部に蓄積された前記購買データからクーポン対象商品の売上状況からクーポンの提供が可能な商品を決定するクーポン商品決定手段と、
決定したクーポン対象商品に関するクーポン情報を前記情報端末装置へ送信するクーポン出力手段と、
を有し、
前記情報端末装置が前記クーポン情報を受信することでクーポンが配信されることを特徴とするクーポン発行システム。
【請求項２】
顧客識別子を有する顧客にクーポンを提供するクーポン発行システムであって、
前記情報端末装置は、前記クーポンの発行要求時に前記顧客識別子を送信し、
前記クーポン配信装置は、送られてきた前記顧客識別子に対応する前記情報端末装置に前記クーポン情報を送信することを特徴とする請求項１に記載のクーポン発行システム。
【請求項３】
前記クーポン商品決定手段は、送られてきた前記顧客識別子を有する顧客が利用する店舗の前記売上状況に応じてクーポンの提供が可能な商品を決定することを特徴とする請求項２に記載のクーポン発行システム。
【請求項４】
前記情報端末装置は、事前に前記顧客識別子と当該顧客が利用する利用店舗情報とを前記クーポン商品決定手段に送信しておき、前記クーポン商品決定手段は、送られてきた前記顧客識別子に関連付けて前記利用店舗情報を記憶することを特徴とする請求項３に記載のクーポン発行システム。
【請求項５】
前記販売管理装置は、売上処理で発生する前記購買データの中の購買金額に応じて前記顧客識別子別に第１ポイントを累積するポイント管理部を備えて、
前記ポイント管理部は、前記情報端末装置に送信された前記クーポン情報が示す第２ポイントを、当該情報端末装置に対応する前記顧客識別子で管理している前記第１ポイント及び前記第２ポイントの累積ポイントに加算することを特徴とする請求項１に記載のクーポン発行システム。
【発明の詳細な説明】
【技術分野】
【０００１】
本発明は、クーポン発行システムに関し、特に、通信ネットワークを通してクーポンを発行するクーポン発行システムに関する。
【背景技術】
【０００２】
従来から、小売店等においては、顧客が商品やサービスを購入したとき、事前に発行したクーポンを提示することで、割引等の特典を提供することが行われている。これらのクーポンは、チラシや刊行物等の紙の媒体物に設けられて消費者に配布されるのが一般的である。しかし、こうした配布方法は不特定多数の消費者に大量にクーポンを配布することになるため、実際に消費者によって店頭で使用されるクーポンはごく一部にとどまり、コスト的にも効率的にも無駄が多いという問題がある。
【０００３】
一方、近年においては、インターネットのウェブ上の小売業者のホームページを訪れた消費者が、そこにアップされているクーポンをプリントアウトすることで入手する方法も採られている（例えば、特許文献１を参照）。このような電子的なクーポンの配布はウェブサイトにアクセスすることで入手でき、クーポンを必要とする消費者に直接配布できるため効率的であると共に、コストも手間も掛らないという利点がある。
【０００４】
また、顧客が携帯情報端末により、ネットワークを介してクーポンに関する情報を管理する管理サーバと通信することで入手したクーポン情報を店頭にて表示等することで割引が受けられるクーポンシステムも知られている（例えば、特許文献２を参照）。
【先行技術文献】
【特許文献】
【０００５】
【特許文献１】特開２００２−３５２１３１号公報
【特許文献２】特開２０１４−２０３３７３号公報
【発明の概要】
【発明が解決しようとする課題】
【０００６】
特許文献１及び２のクーポンシステムは、クーポンを電子情報で顧客の端末に配信する電子クーポンであり、複数の店舗で共通に使用することもできるため、顧客にとっては大いに利便性が高いものとなっている。
【０００７】
しかしながら、複数の店舗で共通のクーポンを発行する場合に店舗によっては、クーポンの対象商品が在庫切れ或いはもともと当該店舗では取り扱っていない商品であると、クーポンを入手してもその顧客がよく利用する店舗では使用できないことも起きる。
【０００８】
本発明は上記点に鑑み、顧客の利用する店舗において、確実に使用可能なクーポンを電子的に発行することができるクーポン発行システムを提供する。
【課題を解決するための手段】
【０００９】
上記課題を解決するために、本発明は、商品買上げによる顧客の精算に基づき購買データを生成する販売管理装置と、クーポン配信装置と、顧客に所持されてクーポンの発行要求を行う情報端末装置と、を備えるクーポン発行システムであって、前記クーポン配信装置は、前記販売管理装置から送られてくる前記購買データを蓄積する購買データ記憶部と、前記購買データ記憶部に蓄積された前記購買データからクーポン対象商品の売上状況からクーポンの提供が可能な商品を決定するクーポン商品決定手段と、決定したクーポン対象商品に関するクーポン情報を前記情報端末装置へ送信するクーポン出力手段と、を有し、前記情報端末装置が前記クーポン情報を受信することでクーポンが配信される。
【００１０】
この場合、顧客識別子を有する顧客にクーポンを提供するクーポン発行システムであると、前記情報端末装置は、前記クーポンの発行要求時に前記顧客識別子を送信し、前記クーポン配信装置は、送られてきた前記顧客識別子に対応する前記情報端末装置に前記クーポン情報を送信する。
【００１１】
さらに、前記クーポン商品決定手段は、送られてきた前記顧客識別子を有する顧客が利用する店舗の前記売上状況に応じてクーポンが提供可能な商品を決定するとよい。このとき、前記情報端末装置は、事前に前記顧客識別子と当該顧客が利用する利用店舗情報とを前記クーポン商品決定手段に送信しておき、前記クーポン商品決定手段は、送られてきた前記顧客識別子に関連付けて前記利用店舗情報を記憶するものであるとよい。
【００１２】
ある実施形態では、前記販売管理装置は、売上処理で発生する前記購買データの中の購買金額に応じて前記顧客識別子別に第１ポイントを累積するポイント管理手段を備えて、前記ポイント管理手段は、前記情報端末装置に送信された前記クーポン情報が示す第２ポイントを、当該情報端末装置に対応する前記顧客識別子で管理している前記第１ポイント及び前記第２ポイントの累積ポイントに加算する。この実施形態によれば、小売企業が実施しているポイントシステムを利用してクーポンの特典付与を実施することができる。
【発明の効果】
【００１３】
本発明によるクーポン発行システムによれば、顧客の利用する店舗での対象商品の売上状況に応じてクーポンを発行するため顧客によって使用される率の高いクーポンを発行することができる。
【図面の簡単な説明】
【００１４】
【図１】本発明の第１実施形態に係わるクーポン発行システムの全体構成を説明するブロック図を示す。
【図２】図１のクーポン発行システムにおける販売管理装置のシステム構成を説明するブロック図を示す。
【図３】販売管理装置においてＰＯＳ端末で生成される購買データの流れの説明図を示す。
【図４】図１のクーポン発行システムにおける情報端末装置の表示画面の例示図を示す。
【図５】クーポン実績記憶部の記憶構成の模式的な説明図を示す。
【図６】初期設定時における情報端末装置とクーポン配信装置との間での処理シーケンスを示す。
【図７】図１のクーポン発行システムにおける情報端末装置とクーポン配信装置と販売管理装置示すとの間でのクーポンの発行に関する処理シーケンスを示す。
【図８】本発明の第２実施形態に係わるクーポン発行システムの全体構成を説明するブロック図を示す。
【図９】図８のクーポン発行システムにおける販売管理装置のシステム構成を説明するブロック図を示す。
【図１０】図８のクーポン発行システムにおける会員番号付きの購買データの処理の流れの説明図を示す。
【図１１】図８のクーポン発行システムにおける情報端末装置の表示画面の例示図を示す。
【図１２】図８のクーポン発行システムにおける情報端末装置とクーポン配信装置と販売管理装置示すとの間でのクーポンの発行に関する処理シーケンスを示す。
【発明を実施するための形態】
【００１５】
本発明の実施の形態について、図面を参照しながら詳細に説明する。図１は、第１実施形態のクーポン発行システム１００の全体構成を示している。クーポン発行システム１００は、サーバで構成されるクーポン配信装置１と、顧客が所持する情報端末装置２と、商品買上げによる顧客の精算に基づき購買データを生成する販売管理装置３と、をインターネット、電話回線、移動体通信網等を含む通信ネットワーク１０で接続して構成される。
【００１６】
この第１実施形態でのクーポンは、予め定められた対象商品を店舗で購入するとき、顧客がこのクーポンを提示するとその価格が値引きされるものである。こういった特定の商品に対するクーポンは、特に、その商品のメーカーが自社製品の販売促進や市場の調査などを目的として発行されることが多い。しかしながら、メーカーには消費者との間に直接的な接点がなく、クーポン配信装置１により消費者の所持する情報端末装置２に直接配信するのが有効である。
【００１７】
販売管理装置３は、小売企業内でのＰＯＳ（Ｐｏｉｎｔ  Ｏｆ  Ｓａｌｅｓ）管理（販売時点管理）を行う。図２で示すように、販売管理装置３は、小売業者のセンターに配置されるＰＯＳサーバ３ａと、小売りの店舗毎に設置される店舗ＰＯＳサーバ３ｂと、店舗内の精算レジカウンタに配置される精算端末機（ＰＯＳ端末）３ｃとから構成される。尚、ここでの小売企業とは、一般的にはメーカーや卸売業者が販売した商品等を最終消費者に売る業者を意味するが、ここでは広義に飲食業者やサービスを提供するサービス業者、さらには卸売業者も含むものとする。
【００１８】
店舗ＰＯＳサーバ３ｂは、当該店舗のＰＯＳ端末３ｃから登録される顧客に販売した日時、商品の商品コードやその商品の売上個数、売上金額等の情報を含む、図３（ａ）に示す購買データを収集して店舗毎で管理すると共に、この購買データをＰＯＳサーバ３ａへ転送する。この転送の際には、図３（ｂ）に示すように当該店舗の店舗コードを付加して送信する。そして、ＰＯＳサーバ３ａは、図３（ｃ）に示すように、各店舗ＰＯＳサーバ３ｂから送られてくる購買データを集計して、各店舗の購買データをセンター側のＰＯＳデータベース１４で統合して管理している。
【００１９】
情報端末装置２は、通信ネットワーク１０に接続可能なスマートフォン等の移動電話機、携帯情報端末機、パーソナルコンピュータ等であって、店舗で買い物する顧客によって保有される一般的な通信情報機器である。情報端末装置２は、処理部２１と、記憶部２２と、表示部２３と、通信インタフェース２４とを有する。処理部２１は、所定のアプリケーションプログラム２０をインストールすることで、登録手段２１ａと、クーポン情報表示手段２１ｂと、クーポン使用実行手段２１ｃの各機能を実現する。
【００２０】
登録手段２１ａは、アプリケーションプログラム２０のインストール後の初期設定において、新規登録画面を表示部２３に表示する。図４は、スマートフォンでの表示画面を模式的に示している。図４（ａ）に示す新規登録画面２３ａでは、顧客であるユーザによって住所・氏名・生年月日等の個人情報と小売企業の傘下の中での利用する店舗が入力されて、「送信」ボタンがタッチされると、登録手段２１ａは、これらの入力情報をクーポン配信装置１に送信し、折り返してクーポン配信装置１から送られてくる会員番号（顧客識別子）を記憶部２２に記憶する。この個人情報入力欄を特に設けず、個人情報の登録を顧客に求めなくてもよい。
【００２１】
クーポン情報表示手段２１ｂは、クーポン配信装置１から送られてくるクーポン情報を表示する。図４（ｂ）は、クーポン情報表示画面２３ｂを例示しており、クーポンの対象商品の画像とクーポンの使用による割引金額を表示している。この例においては、複数のメーカーがそれぞれクーポンに表示されている当該メーカーの製品を顧客が購入するとき、使用可能なクーポンをそれぞれ表示している。
【００２２】
クーポン使用実行手段２１ｃは、クーポン情報表示画面２３ｂにおいて、クーポン対象商品が「選択」ボタンのタッチで選択されて、且つ「決定」ボタンがタッチされるとクーポンが使用されたとして、通信インタフェース２４を通してクーポン配信装置１へ、選択されたクーポンのクーポンコードと、記憶部２２に記憶している会員番号と、このときの日付であるクーポン使用日時データとを送信する。これによって、ＰＯＳ端末３ｃにおいては、レジ担当者がクーポン情報表示画面２３ｂの確認により、クーポンの対象商品の精算であることが入力されて、クーポンによる値引き販売の処理が行われる。
【００２３】
図１に戻って、クーポン配信装置１は、所定のプログラムを処理することで、会員番号発行手段１ａと、クーポン商品決定手段１ｂと、クーポン出力手段１ｃと、クーポン実績受付手段１ｄの各機能を実現する。そして、クーポン配信装置１は、購買データ記憶部１１と、会員情報記憶部１２と、クーポン実績記憶部１３と、クーポン情報記憶部１６とを備える。尚、新規登録画面２３ａで個人情報の登録を求めないときは、会員情報記憶部１２は必要ない。
【００２４】
そして、購買データ記憶部１１は、ＰＯＳサーバ３ａから送られてくる日時データ，商品コード・個数，売上金額，店舗コードを含む購買データを購買データ記憶部１１に蓄積する。すなわち、クーポン配信装置１においても、図３（ｃ）で示した販売管理装置３のＰＯＳデータベース１４と同様の各店舗の購買データを蓄積している。また、クーポン情報記憶部１６は、クーポン種類ごとに、クーポンの対象となる商品の画像やクーポン使用による割引金額情報等のクーポン情報をクーポンコードに割り付けて格納している。
【００２５】
会員番号発行手段１ａは、情報端末装置２の初期設定時でのやり取りの中で、会員番号を作成して送信し、これに応答して返信されてくるこの会員番号と、これと共に送られてくる個人情報と利用店舗情報とを会員情報記憶部１２に格納する。
【００２６】
クーポン商品決定手段１ｂは、情報端末装置２からクーポン発行の要求があると、この情報端末装置２に対応する会員番号で検索した顧客が利用する店舗におけるクーポン対象商品の売上状況からクーポンが提供可能な商品であるか否かを判定する。具体例として、購買データ記憶部１１に蓄積している直近の２週間以内の過去の購買データから少なくとも１個の販売実績のある商品をクーポンが提供可能な商品とする。
【００２７】
クーポン出力手段１ｃは、クーポン商品決定手段１ｂが決定したクーポン種類に関しての対象商品の画像や当該クーポン使用による割引金額情報等のクーポン情報をクーポン情報記憶部１６から読み出して情報端末装置２へ送信する。クーポン情報を受信した情報端末装置２は、その表示部２３にクーポン情報表示画面２３ｂを表示する。
【００２８】
クーポン実績受付手段１ｄは、情報端末装置２が表示部２３に生じているクーポン情報表示画面２３ｂ上で、「選択」ボタンのタッチでクーポン対象商品が選択されて、且つ「決定」ボタンがタッチされたときに送信されてくる選択されたクーポン対象商品の商品コードと会員番号とクーポン使用日時データとを、図５に示すようにクーポン実績記憶部１３に蓄積する。
【００２９】
上記構成のクーポン発行システム１００の全体動作を、図６及び図７に示す処理シーケンスに基づき説明する。先ず、顧客が商品のメーカーが実施しているクーポンサービスを受けるには、所持する情報端末装置２にクーポンサービスのアプリケーションプログラム２０をインストールして実行する。
【００３０】
図６は、情報端末装置２にアプリケーションプログラム２０をインストールした後の初期設定における処理シーケンスを示し、登録手段２１ａは、新規登録画面２３ａから顧客によって入力される住所・氏名・生年月日等の個人情報と利用店舗とが入力されて、「送信」ボタンがタッチされると、これらの入力情報をクーポン配信装置１に送信する（ステップＳ１）。これを受信したクーポン配信装置１は、会員番号発行手段１ａによって会員番号を作成し（ステップＳ２）、送られてきた個人情報と利用店舗の店舗コードとをこの会員番号に関連付けて会員情報記憶部１２に格納する（ステップＳ３）。そして、会員番号を作成したとき、会員番号発行手段１ａは、この会員番号を情報端末装置２に送信する。情報端末装置２は、送られてきた会員番号を記憶部２２に格納して（ステップＳ４）、初期設定である会員登録が終了する。
【００３１】
図７は、情報端末装置２を利用して顧客がクーポンを使用するときの処理シーケンスを示しており、販売管理装置３は、生成した購買データをバッチ処理又はリアルタイムでクーポン配信装置１にＰＯＳサーバ３ａから適宜、送信しており（ステップＳ０１）、クーポン配信装置１は受信した購買データを購買データ記憶部１１に格納している（ステップＳ０２）。
【００３２】
情報端末装置２は、アプリケーションプログラム２０を起動することで、クーポン情報表示手段２１ｂは、会員番号をクーポン配信装置１へ送信し、クーポン情報の送信を要求する（ステップＳ１１）。
【００３３】
クーポン配信装置１は、この要求に応答してクーポン情報を送信する処理を行う。先ず、クーポン商品決定手段１ｂは、この情報端末装置２に対応する会員番号の顧客の利用店舗を会員情報記憶部１２から検索する（ステップＳ１２）。そして、クーポン商品決定手段１ｂは、クーポン対象商品毎に購買データ記憶部１１に蓄積している直近の過去の購買データによるクーポン対象商品毎の売上状況に基づいて、クーポン適用期間内での当該店舗での販売が可能な対象商品を判別する（ステップＳ１３）。そして、クーポン適用期間内での販売が可能な対象商品をクーポンの発行が可能な商品とする。
【００３４】
クーポン配信装置１は、クーポンの発行が可能な対象商品を決定すると、クーポン出力手段１ｃによって、対象商品の画像及びクーポンによる特典内容、例えば対象商品の購入時に割引される金額等を含むクーポン情報と、これに対応するクーポンコードと、をクーポンの要求のあった情報端末装置２へ送信する（ステップＳ１４）。
【００３５】
情報端末装置２は、送られてきたクーポン情報に基づくクーポン情報表示画面２３ｂを表示部２３に表示する（ステップＳ１５）。これにより、顧客は、情報端末装置２に表示されている対象商品を利用店舗として登録している店で購入するとき、精算時にクーポン情報表示画面２３ｂを提示する。このとき、顧客自身又は店のレジの担当者によってクーポン対象商品の「選択」ボタンのタッチと、その後の「決定」ボタンのタッチでクーポンが選択されると、精算レジの担当者がＰＯＳ端末３ｃのクーポン処理を実行させることで、割引金額が引かれた精算金額が算出されて顧客は支払う。
【００３６】
そして、クーポン情報表示画面２３ｂからクーポンが選択されたとき、クーポン使用実行手段２１ｃは、「選択」ボタンがタッチされたクーポンのクーポンコードと、記憶部２２に記憶している会員番号と、このときの日時であるクーポン使用日時データとを含むクーポン使用情報をクーポン配信装置１へ送信する（ステップＳ１６）。同時に、クーポン使用実行手段２１ｃは、選択された商品の画像データを含むクーポン情報を消去する。
【００３７】
クーポン配信装置１は、クーポン使用情報が送られてくると、クーポン使用日時データとクーポンコードと会員番号とをクーポン実績記憶部１３に記憶する（ステップＳ１７）。これにより、クーポン実績受付手段１ｄは、適宜、クーポン実績記憶部１３に記憶しているクーポンコードからクーポン対象商品のメーカーを識別して、クーポン使用日時データから所定期間内で対象商品毎に設定している割引金額を合計することで、メーカー別のクーポン発行による負担金額を演算することができる。
【００３８】
加えて、事前に顧客によって個人情報が登録されているときには、クーポン配信装置１は、会員情報記憶部１２に格納されている個人情報の顧客の属性データから、クーポンが使用された対象商品の会員顧客の購買動向を分析して、メーカーに提供することができる。
【００３９】
上記実施形態でのクーポンは、クーポン対象商品に対して精算時に割引を行うものであるが、小売企業が独自に実施しているポイントサービスと連携させてポイントを提供するクーポンであってもよい。ここでの小売企業によるポイントサービスとは、ポイント会員登録を行った顧客に対して、買上げ時の精算額に応じたポイントを提供することで、顧客がポイントの累積数に応じた特典を店舗から得ることのできるようにしたプログラムである。よって、小売企業が提供するポイント（以下、「第１ポイント」と称す）に、メーカーが対象商品の店舗での購入時に提供するポイント（以下、「第２ポイント」と称す）を加えて提供することで、小売企業は第１及び第２ポイントの合計ポイントで顧客に特典を提供する。
【００４０】
図８は、第２実施形態のクーポン発行システム２００の全体構成を示している。クーポン発行システム２００は、クーポンによる特典の付与を小売企業が実施しているポイントサービスと連携させたシステムである。尚、図１と同じ構成部には同一の符号で示して説明を省略する。
【００４１】
販売管理装置３０は、図１の販売管理装置３と同様の販売管理機能に加えて、ポイント管理機能を有する。ポイントサービスは、ポイント会員に対してポイント会員カードを発行し、そこに付番されているポイント会員の会員番号（顧客識別子）で顧客のポイント管理を行う、よく知られている特典プログラムである。
【００４２】
図９は販売管理装置３０のシステム構成を示しており、ポイント会員の顧客は、精算時にポイント会員カードを提示することで、ＰＯＳ端末３ｃに付属しているスキャナーにより会員番号が読み取られて、ＰＯＳ端末３ｃは図１０（ａ）に示すように会員番号を購買データに付加して店舗ＰＯＳサーバ３ｂへ送信する。そして、店舗ＰＯＳサーバ３ｂは、図１０（ｂ）に示すように、店舗コードと共に購買データに含まれる売上金額に応じて演算したポイント数（第１ポイント）をさらに追加してＰＯＳサーバ３ａへ送信する。ＰＯＳサーバ３ａは、図１０（ｃ）に示すように、送られてきた購買データをＰＯＳデータベース１４に格納する。
【００４３】
販売管理装置３０は、売上処理で発生する前記購買データの中の購買金額に応じて、会員番号別に第１ポイントを累積するポイント管理部１５を備えており、ＰＯＳサーバ３ａは、この購買データに会員番号と売上金額に基づく第１ポイント数とが付加されているときには、ポイント管理部１５に図１０（ｄ）に示すように、会員番号に関連付けて管理しているポイント累計に送られてきたポイント数を加算してポイントを更新する。
【００４４】
図８に戻って、クーポン配信装置１Ａは、図１のクーポン配信装置１とそれぞれ同様の購買データ記憶部１１と、会員情報記憶部１２と、クーポン実績記憶部１３とを備える。ここでの会員情報記憶部１２に格納されているポイント会員の会員番号と個人情報とは、小売企業がポイント会員の入会時に顧客から届出の個人情報が会員番号に関連付けて保持しているデータであり、予め小売企業から提供されて格納している。個人情報の提供を小売企業から特に求める必要はなく、その場合には会員情報記憶部１２は不要となる。
【００４５】
また、クーポン配信装置１Ａは、プログラムの処理により、クーポン商品決定手段１ｂと、クーポン出力手段１ｃと、クーポン実績受付手段１ｄの各機能を実現する。しかし、本実施形態においては、ポイント会員カードの会員番号を顧客の識別子に利用するために、クーポン配信装置１Ａは、クーポン配信装置１におけるような会員番号発行手段１ａは備えない。
【００４６】
情報端末装置２は、アプリケーションプログラム２０Ａをインストールすることで、登録手段２１ａ´と、クーポン情報表示手段２１ｂ´と、クーポン使用実行手段２１ｃ´とを備える。登録手段２１ａ´は、表示部２３に図１１（ａ）に示す新規登録画面２３ａ´でポイント会員の会員番号と利用店舗の入力欄を表示する。そして、入力された会員番号と利用店舗情報とはクーポン配信装置１Ａに送信されて、クーポン配信装置１Ａは、送られてきた利用店舗情報をその会員番号に関連付けて店舗コードで会員情報記憶部１２に格納する。また、登録手段２１ａ´は、入力された会員番号を記憶部２２に記憶する。
【００４７】
クーポン情報表示手段２１ｂ´は、クーポン配信装置１Ａから送られてくるクーポン情報を表示する。図１１（ｂ）は、クーポン情報表示画面２３ｂ´を例示しており、クーポンの対象商品の画像とクーポンの使用による提供する第２ポイント数を表示している。この例においては、複数のメーカーがそれぞれクーポンに表示されている当該メーカーの製品を顧客が購入するとき、使用可能なクーポンをそれぞれ表示している。
【００４８】
クーポン使用実行手段２１ｃ´は、クーポン情報表示画面２３ｂ´において、クーポン対象商品が「選択」ボタンのタッチで選択されて、且つ「決定」ボタンがタッチされるとクーポンが使用されたとして、通信インタフェース２４を通してクーポン配信装置１Ａへ、この対象商品の商品コードと、記憶部２２に記憶している会員番号と、このときの日付であるクーポン使用日時データとを送信する。これによって、ＰＯＳ端末３ｃにおいては、レジ担当者がクーポン情報表示画面２３ｂの確認により、クーポンの対象商品の精算であることが入力されて、クーポンによる第２ポイントの提供処理が行われる。
【００４９】
図１２は、クーポン発行システム２００において、情報端末装置２を利用して顧客がクーポンを使用するときの処理シーケンスを示している。図１２の処理シーケンスにおいても図７と同様、販売管理装置３０は、生成した購買データをバッチ処理又はリアルタイムでクーポン配信装置１Ａに適宜、送信して（ステップＳ０１）、クーポン配信装置１Ａは受信した購買データを購買データ記憶部１１に格納している（ステップＳ０２）。
【００５０】
情報端末装置２は、アプリケーションプログラム２０Ａを起動することで、クーポン情報表示手段２１ｂ´は、記憶部２２に記憶されている会員番号をクーポン配信装置１Ａへ送信することで、クーポン情報の送信を要求する（ステップＳ３１）。
【００５１】
クーポン配信装置１Ａは、この要求に応答してクーポン情報を送信する処理を行う。先ず、クーポン商品決定手段１ｂは、この情報端末装置２に対応する会員番号の顧客の利用店舗を会員情報記憶部１２から検索する（ステップＳ３２）。そして、クーポン商品決定手段１ｂは、クーポン対象商品毎に購買データ記憶部１２に蓄積している直近の過去の購買データによるクーポン対象商品毎の売上状況に基づいて、クーポン適用期間内での当該店舗での販売が可能な対象商品を判別する（ステップＳ３３）。そして、クーポン適用期間内での販売が可能な対象商品をクーポンの発行が可能な商品とする。
【００５２】
クーポン配信装置１Ａは、クーポンの発行が可能な対象商品を決定すると、クーポン出力手段１ｃによって、対象商品の画像及びクーポン使用時にポイント会員の顧客に提供するポイント数（第２ポイント）の情報等を含むクーポン情報と、これに対応するクーポンコードと、をクーポンの要求のあった情報端末装置２へ送信する（ステップＳ３４）。
【００５３】
情報端末装置２においては、クーポン情報表示手段２１ｂ´が送られてきたクーポン情報に基づくクーポン情報表示画面２３ｂ´を表示部２３に表示する（ステップＳ３５）。図１１（ｂ）は、クーポン情報表示画面２３ｂ´を例示している。そして、顧客は、利用店舗として登録している店で、情報端末装置２に表示されている対象商品を購入するとき、クーポン情報表示画面２３ｂ´を提示する。これにより、顧客は、利用店舗として登録している店で、情報端末装置２に表示されている対象商品を購入するとき、クーポン情報表示画面２３ｂ´を提示することで、精算レジの担当者が販売管理装置３０のＰＯＳ端末３ｃのクーポン処理を実行させることで、金額の精算と共に第２ポイントの加算処理が行われる（ステップＳ３８）。よって、小売企業が実施しているポイントシステムに第２ポイントを加算することで、クーポンの特典がポイントに反映されることになる。
【００５４】
このような店舗での商品の精算時に、顧客自身又は店のレジの担当者によってクーポン対象商品の「選択」ボタンのタッチと、その後の「決定」ボタンのタッチでクーポンが選択される。この操作でクーポン使用実行手段２１ｃ´は、「選択」ボタンがタッチされたクーポンのクーポンコードと、記憶部２２に記憶している会員番号と、クーポン使用日時データとを含むクーポン使用情報をクーポン配信装置１Ａへ送信する（ステップＳ３６）。このとき、クーポン使用実行手段２１ｃ´は、選択された商品の画像データを含むクーポン情報を消去する。
【００５５】
クーポン実績受付手段１ｄは、クーポン配信装置１Ａへ送られてきたクーポン使用情報をクーポン実績記憶部１３に記憶する（ステップＳ３７）。クーポン実績受付手段１ｄは、クーポン実績記憶部１３に記憶しているクーポンコードからクーポン対象商品のメーカーを識別して、クーポン使用日時データから所定期間内で対象商品毎に設定している第２ポイント数を合計することで、メーカー別のクーポン発行による負担金額を演算することができる。そして、予め情報端末装置２から顧客によって登録された個人情報を格納する会員情報記憶部１２を備えるクーポン発行システム１００であれば、顧客の属性データから、クーポンが使用された対象商品の会員顧客の購買動向を分析して、メーカーに提供することができる。
【００５６】
上記したように、本発明に係るクーポン発行システムは、顧客の情報端末装置にクーポンを配信するものであるが、顧客の利用する店舗での対象商品の売上状況に応じて、クーポン期間内で販売可能な対象商品のクーポンを配信するため、顧客のクーポンへの期待を裏切ることがない。したがって、それぞれ対象商品の売上状況が異なる複数の店舗にも適用しても不具合が生じることのない確実なクーポン発行システムである。尚、小売企業は１社に限定されるものではなく、クーポン配信装置は複数の小売企業の各販売管理装置とで本発明に係るクーポン発行システムを構築することができる。
【符号の説明】
【００５７】
１、１Ａ  クーポン配信装置
１ｂ      クーポン商品決定手段
１ｃ      クーポン出力手段
２        情報端末装置
３、３Ａ  販売管理装置
１５      ポイント管理部
【図１】
2019197446.tif 000003
【図２】
2019197446.tif 000004
【図３】
2019197446.tif 000005
【図４】
2019197446.tif 000006
【図５】
2019197446.tif 000007
【図６】
2019197446.tif 000008
【図７】
2019197446.tif 000009
【図８】
2019197446.tif 000010
【図９】
2019197446.tif 000011
【図１０】
2019197446.tif 000012
【図１１】
2019197446.tif 000013
【図１２】
2019197446.tif 000014